(57)【要約】【課題】簡易な構成で、優れた保持能力を有するフレームラックを提供する。【解決手段】キッチンスペースにおける天板上に設置して用いるフレームラックであって、前後方向に対向配置された一対のフレーム部１０、２０を備え、一対のフレーム部１０、２０はそれぞれ、一対の縦フレーム１１、１１、２１、２１と、一対の縦フレーム１１、１１、２１、２１の間に架設された横フレーム１２、２２とを有することを特徴とする。【選択図】図１
2020081749.tif 000002
【特許請求の範囲】
【請求項１】
キッチンスペースにおける天板上に設置して用いるフレームラックであって、
前後方向に対向配置された一対のフレーム部を備え、
前記一対のフレーム部はそれぞれ、一対の縦フレームと、前記一対の縦フレームの間に架設された横フレームとを有することを特徴とするフレームラック。
【請求項２】
前記一対のフレーム部におけるそれぞれの前記横フレームは、長尺板状のフレーム本体部と、フレーム本体部の内側面から突出する支持板部とを有する、請求項１に記載のフレームラック。
【請求項３】
前記横フレームは、前記支持板部の先端部から垂下し、前記フレーム本体部に対向するカバー部を有する、請求項２に記載のフレームラック。
【発明の詳細な説明】
【技術分野】
【０００１】
本発明は、キッチンスペースにおける天板上に設置して用いるフレームラックに関する。
【背景技術】
【０００２】
従来、キッチンスペースにおけるカウンタ部等の天板上の空間を有効に利用するために、各種の調理道具、調味料等を置くラック等の収納器具が用いられている。例えば、特許文献１には、カウンタ部の天板上に立設された縦桟と、両縦桟の上端部に架設された横桟とからなる吊下体が開示されている。
【０００３】
上記特許文献１の吊下体は、衝立としての仕切板を横桟に沿ってスライド可能に吊支して、シンクからの水滴もしくはコンロからの油滴の飛散を防止することができる。また、吊下体にトレー等を取り付けることにより、まな板や調味料等を載置することもできる。
【先行技術文献】
【特許文献】
【０００４】
【特許文献１】特開２００８−４９０４６号公報
【発明の概要】
【発明が解決しようとする課題】
【０００５】
しかしながら、特許文献１に記載の吊下体は、キッチン周りの道具や材料を吊下体の横桟に吊下げて保持するのみであるため、吊下体で保持することができる物品の量（保持能力）は十分ではなく、改善の余地があった。
【０００６】
それゆえ本発明は、簡易な構成で、優れた保持能力を有するフレームラックを提供することを目的とする。
【課題を解決するための手段】
【０００７】
本発明は、上記課題を解決するためになされたものであり、本発明のフレームラックは、キッチンスペースにおける天板上に設置して用いるフレームラックであって、
前後方向に対向配置された一対のフレーム部を備え、
前記一対のフレーム部はそれぞれ、一対の縦フレームと、前記一対の縦フレームの間に架設された横フレームとを有することを特徴とするものである。
【０００８】
なお、本発明のフレームラックにあっては、前記一対のフレーム部におけるそれぞれの前記横フレームは、長尺板状のフレーム本体部と、フレーム本体部の内側面から突出する支持板部とを有することが好ましい。
【０００９】
また、本発明のフレームラックにあっては、前記横フレームは、前記支持板部の先端部から垂下し、前記フレーム本体部に対向するカバー部を有することが好ましい。
【発明の効果】
【００１０】
本発明によれば、簡易な構成で、優れた保持能力を有するフレームラックを提供することが可能となる。
【図面の簡単な説明】
【００１１】
【図１】本発明の一実施形態に係るフレームラックをキッチンのカウンタ部の天板上に設置した状態を示す斜視図である。
【図２】図１のフレームラックの一部を示す側面視での断面図である。
【図３】図１のフレームラックに保持パーツとしてのフックパーツを取り付けた状態を示す側面図である。
【図４】図１のフレームラックにプレートパーツと吊下ラックパーツを取り付けた状態を示す側面図である。
【図５】図４に示すプレートパーツを単独で示す斜視図である。
【図６】プレートパーツの変形例を示す側面図である。
【図７】図４に示す吊下ラックパーツを単独で示す斜視図である。
【図８】保持パーツとしてのフックパーツを示す斜視図である。
【図９】図１のフレームラックに図８に示すフックパーツを取り付けた状態を示す側面図である。
【図１０】保持パーツとしての本・タブレットラックパーツを示す斜視図である。
【図１１】本発明に係るフレームラックの変形例を示す側面図である。
【図１２】発明に係るフレームラックの他の変形例を示す側面図である。
【発明を実施するための形態】
【００１２】
以下に、図面を参照しつつ、本発明の実施形態について例示説明する。図１は本発明の一実施形態であるフレームラック１を、キッチンスペースにおけるカウンタ部２の天板上に設置（固定）した状態を示す。カウンタ部２は、例えばシンク３、調理台４、コンロ５等を備える。なお、本実施形態のフレームラック１は、キッチンスペース内であれば図示のようなカウンタ部２に限られず、例えば、カウンタ部２に対向する食器棚等に設けられた台の天板上に設置することも可能である。
【００１３】
フレームラック１は、前後方向（奥行方向）に間隔をあけて対向配置された一対のフレーム部１０、２０を備える。図１に示すように、一対のフレーム部１０、２０は、カウンタ部２の手前側（フレームラック１の前方側）に配置される第１フレーム部１０と、奥側（フレームラック１の後方側）に配置される第２フレーム部２０とで構成される。なお、フレームラック１における「前後方向」とは、各フレーム部１０、２０を構成する縦フレーム１１、２１と横フレーム１２、２２とで構成される平面に対して垂直な方向とすることができる。また、フレームラック１は、フレームラック１の前後方向がカウンタ部２の奥行方向と平行になるように設置されることが好ましいが、これに限られるものではない。
【００１４】
第１フレーム部１０は、フレームラック１の左右方向の両端部に位置する一対の縦フレーム１１と、当該一対の縦フレーム１１の間に架設される横フレーム１２とを有する。一対の縦フレーム１１は、カウンタ部２の天板に対して垂直に、すなわち鉛直方向に延在しており、横フレーム１２は、カウンタ部２の天板に対して平行に、すなわち水平方向に延在している。なお、本例では、一対の縦フレーム１１の上端部に横フレーム１２が連結されているが、一対の縦フレーム１１の上端部よりも下側に横フレーム１２が連結された構成としてもよい。
【００１５】
第２フレーム部２０は、第１フレーム部１０と同様に、一対の縦フレーム２１と、一対の縦フレーム２１の間に架設される横フレーム２２とを有する。なお、本例では、第１フレーム部１０と第２フレーム部２０とが相互に前後対称の形状となっているが、これに限られず、第１フレーム部１０と第２フレーム部２０の形状はそれぞれ適宜変更可能である。
【００１６】
図２は、フレームラック１の上側部分を示す側面視での断面図である。図１、２に示すように、それぞれの横フレーム１２、２２は、長尺板状のフレーム本体部１３、２３と、フレーム本体部１３、２３の内側面１３ａ、２３ａから内側に突出する支持板部１４、２４とを有する。なお、支持板部１４、２４は必須の構成ではない。
【００１７】
第１フレーム部１０の横フレーム１２は、フレーム本体部１３と、支持板部１４とを有する。フレーム本体部１３は、長尺板状の鉄等の金属製の部材とすることができる。本例のフレーム本体部１３は、その厚さ方向が、フレームラック１の前後方向と平行になるように配置されている。本例では、支持板部１４を当該Ｌ字状の長尺部材の水平フランジで構成し、当該水平フランジの基端部に連なる鉛直板部１５は、フレーム本体部１３の内側面１３ａに当てつけた状態でフレーム本体部１３に固定されている。なお、鉛直板部１５の固定方法は、例えば、ねじ等による締結、溶接等とすることができるが、特に限定されない。また、支持板部１４は、フレーム本体部１３の内側面１３ａに溶接等で一体的に連結された構成としてもよい。
【００１８】
第１フレーム部１０と同様に、第２フレーム部２０の横フレーム２２は、フレーム本体部２３と、支持板部２４とを有する。支持板部２４は、断面がＬ字状の長尺部材における水平フランジで構成されており、支持板部２４に連なる鉛直板部２５は、フレーム本体部２３の内側面２３ａに当てつけた状態でフレーム本体部２３に固定されている。
【００１９】
図１、２に示すように、本例のフレームラック１は、第１フレーム部１０と第２フレーム部２０とを連結する連結部３１を有する。このような連結部３１を設けることで、フレームラック１の安定性を高めることができ、また、振動や接触等による揺れを抑制することができる。なお、連結部３１は必須の構成ではない。
【００２０】
本例では、第１フレーム部１０の横フレーム１２と、第２フレーム部２０の横フレーム２２を連結する６本の連結部３１が左右方向に相互に間隔をあけて設けられている。各連結部３１は、横フレーム１２、２２の延在方向（フレームラック１の左右方向）に対して垂直に、すなわちフレームラック１の前後方向に延在している。なお、連結部３１の本数、位置、角度は適宜変更可能であり、例えば、対向する縦フレーム１１、２１同士を連結するようにしてもよい。
【００２１】
また、本例のフレームラック１は、第１フレーム部１０の縦フレーム１１の下端部と、それに対向する第２フレーム部２０の縦フレーム１１の下端部とを連結するベース板部３２を有する。ベース板部３２は、フレームラック１における左右の縦フレーム１１、１２間それぞれに設けられている。本例では、ベース板部３２をカウンタ部２の天板に固定することで、フレームラック１をカウンタ部２に固定している。ベース板部３２をカウンタ部２の天板に固定する方法は、ねじ等による締結、溶接等とすることができるが、特に限定されない。
【００２２】
また、本例のフレームラック１は、左右方向の中間領域に設けられた柱部４０を有する。柱部４０は、鉛直方向に延在し、その下端部がカウンタ部２の天板に取付けられるとともに、その上端部が横フレーム１２、２２に取り付けられている。柱部４０は、フレームラック１に対して固定してもよいし、着脱可能としてもよいし、左右方向にスライド可能としてもよい。なお、柱部４０は必須の構成ではない。
【００２３】
柱部４０は、フレームラック１の安定性を高めるとともに、内部に空洞を設けることで、配線等の部材を配置することもできる。本例では、柱部４０の前面に電力を供給可能なコンセント接続部４１を設けている。このようなコンセント接続部４１は、柱部４０における何れの向きの側面に設けてもよいし、高さ方向の位置も限定されず、適宜変更可能である。また、柱部４０の側面または内部には、例えば照明装置Ｌ等の他の器具を設けてもよいし、柱部４０の側面に当該照明装置Ｌのスイッチを設けてもよい。
【００２４】
フレームラック１を構成する縦フレーム１１、２１、横フレーム１２、２２、支持板部１４、２４、連結部３１、ベース板部３２等の各部は、金属製の板材で構成されていることが好ましい。これによれば、適度な剛性を有し、且つ、成形、加工、組立て等が容易となる。なお、フレームラック１を構成する各部材は適度な剛性を有していれば、プラスチック（樹脂）製としてもよい。また、例えば、第１フレーム部１０を構成する縦フレーム１１と一対の横フレーム１２とを、連続した一体部材として形成してもよいし、複数の分割された板材を接続することにより形成してもよい。
【００２５】
フレームラック１は、少なくとも横フレーム１２、２２等の一部が、磁石（マグネット）を吸着可能な鉄等の材料で構成されていることが好ましい。これによれば、後述する各種保持パーツに磁石を設けることで、フレームラック１の表面に容易に装着することができ、着脱も容易となる。また、振動または衝撃等によりフレームラック１に取り付けた保持パーツの位置がずれたり、脱落したりすることを防止することも可能となる。なお、フレームラック１自体に磁石を設けてもよい。
【００２６】
また、図１１に示すように、支持板部１４、２４の下面には照明装置Ｌを磁石又は接着等により取付けることができる。また、照明装置Ｌはフレームラック１の何れの位置に対しても着脱可能であることが好ましい。これによれば、必要に応じてフレームラック１の周囲の所望の位置を明るく照らすことができる。
【００２７】
以下に、フレームラック１に取付け可能な各種の保持パーツ、及び当該保持パーツの取付け方法について説明する。フレームラック１は、後述する保持パーツを横フレーム１２、２２の一方に取り付けたり、両方の横フレーム１２、２２間に架け渡す（懸架）ようにして取り付けたりすることができる。
【００２８】
図３は、保持パーツとしてのフックパーツ５０をフレームラック１の横フレーム２２に取り付けた状態を示している。図３に示すフックパーツ５０は、横フレーム１２、２２に係合保持されるベース部５１と、調理道具Ａ等を吊下げ保持するフック部５２とを有する。
【００２９】
ベース部５１は、各横フレーム１２、２２に対して着脱可能、且つ、当該横フレーム１２、２２の延在方向に沿ってスライドさせることができる。本例のベース部５１には、横フレーム１２、２２の上端部に係合可能な上側係合部５１ａと、横フレーム１２、２２の下端部に係合可能な下側係合部５１ｂとが設けられており、横フレーム１２、２２から脱落し難くなっている。
【００３０】
フック部５２には、例えばオタマやフライ返し、鍋、フライパン等の調理道具Ａを引っ掛けて吊下げ保持することができる。調理道具Ａの取っ手には孔Ａ１もしくは切欠きが設けられており、フック部５２を当該孔Ａ１等に通して引っ掛けることができる。
【００３１】
ここで、フック部５２は、ベース部５１に対して着脱可能な構成としてもよい。このような構成とすることで、非使用時にフック部５２のみを取り外すことができる。さらに、ベース部５１に対してフック部５２とは異なる種類のパーツを着脱可能としてもよく、これによれば、ベース部５１を取り外すことなく別の機能を有するパーツに切り替えることができるので、利便性が高まる。なお、フックパーツ５０の各部の形状は適宜変更可能である。また、本例では、フック部５２が横フレーム１２、２２に対して外向きとなるように、取り付けられているが、横フレーム１２、２２に対して内向きに取り付け可能な構成としてもよい。
【００３２】
図４は、フレームラック１の第１フレーム部１０と第２フレーム部２０間に架け渡すように配置された保持パーツとしてのプレートパーツ６０と吊下ラックパーツ７０を示している。
【００３３】
プレートパーツ６０は、図５にも示すように、矩形板状の載置板部６１と、載置板部６１の両縁部から垂下する一対の脚部６２とを有する。載置板部６１には開口６３が設けられている。図４に示すように、フレームラック１の一対の支持板部１４、２４の上にそれぞれ脚部６２を載せることで、前後一対の横フレーム１２、２２の間（内側）にプレートパーツ６０を配置することができる。なお、プレートパーツ６０は、フレームラック１の左右方向の何れの位置に配置してもよく、また、横フレーム１２、２２の延在方向に沿ってスライドさせることも可能である。プレートパーツ６０の上には、食器、調味料、調理道具等を載せることができる。本例では、載置板部６１の上面６１ａよりも横フレーム１２、２２（フレーム本体部１３、２３）の上端が上方に位置する（高くなる）ように設定しているため、載置板部６１に載せた物品が前後方向に脱落するのを横フレーム１２、２２で防止することができる。また、本例では、プレートパーツ６０全体が一対の横フレーム１２、２２の内側に嵌り込む構成としているため、プレートパーツ６０をフレームラック１に固定しなくても、プレートパーツ６０の脱落及び位置ずれを抑制することができる。
【００３４】
なお、プレートパーツ６０の形状は適宜変更可能であり、脚部６２の上下方向長さ（高さ）を大きくして横フレーム１２、２２よりも上方に載置板部６１の上面６１ａが位置するようにしてもよいし、脚部６２を設けずに載置板部６１のみとしてもよい。あるいは、図６に示すプレートパーツ６５のように、載置板部６１の奥行き長さを大きくして、横フレーム１２、２２よりも前後方向に突出するようにしてもよい。この場合、脚部６２によって、プレートパーツ６５の位置ずれを抑制することができる。また脚部６２の上下方向長さは図示例より小さくても大きくてもよいし、脚部６２がない構成としてもよい。
【００３５】
吊下ラックパーツ７０は、図４、７に示すように、矩形板状の載置板部７１と、載置板部７１の左右両端部からそれぞれ上方に延びる柱部７２と、柱部７２の上端部に連なり、それぞれ外側に延びるフランジ部７３とを有する。載置板部７１における前後両端部には、上方に延びる柵部７４が設けられている。また載置板部７１には開口７５が設けられている。
【００３６】
図４に示すように、フレームラック１の一対の支持板部１４、２４の上に架け渡すように一対のフランジ部７３を載せることで、前後一対の横フレーム１２、２２の間に吊下ラックパーツ７０を配置することができる。なお、吊下ラックパーツ７０は、連結部３１が設けられていない範囲で、フレームラック１の左右方向の何れの位置に配置してもよく、また、横フレーム１２、２２の延在方向に沿ってスライドさせることも可能である。図４に示すように、載置板部７１は、前後の横フレーム１２、２２の内側で、且つ、横フレーム１２、２２の下方に吊下げ保持される。これにより、吊下ラックパーツ７０の載置板部７１には、食器、調味料、調理道具等の物品を載せることができる。本例の吊下ラックパーツ７０は、横フレーム１２、２２の上方からでも下方からでも載置板部７１に物品を載せたり、物品を取出したりすることができるように構成されている。
【００３７】
上述のように、プレートパーツ６０、吊下ラックパーツ７０等の保持パーツを利用することにより、前後のフレーム部１０、２０間の空間を有効に利用することができる。
【００３８】
また、図４に示すように、プレートパーツ６０の脚部６２の間隔Ｄ１を、吊下ラックパーツ７０のフランジ部７３の奥行Ｄ２よりも大きくすれば、安定した状態で、プレートパーツ６０と吊下ラックパーツ７０をフレームラック１の左右方向の同じ位置に配置することができる。なお、吊下ラックパーツ７０のフランジ部７３の奥行Ｄ２を大きく設定して、フランジ部７３の上方にプレートパーツ６０の脚部６２を載せるようにしてもよい。
【００３９】
さらに、各横フレーム１２、２２の外側にフックパーツ５０を外向きに取り付けることができ、よりフレームラック１の保持能力を高めることができる。すなわち、本実施形態のフレームラック１では、第１フレーム部１０と第２フレーム部２０それぞれの外側の空間と、第１フレーム部１０と第２フレーム部２０の間の空間とを有効に利用して保持能力（収納力）を高めることができる。また、フレームラック１の前方からも後方からも物品を載せたり取出したりすることができるので、利便性が高い。また、フレームラック１の前方（手前側）から物品を載せたり取出したりする場合には、第１フレーム部１０に保持パーツを取り付け、後方（奥側）から物品を載せたり取出したりする場合には、第２フレーム部２０に保持パーツを取り付けることができるので、物品を載せたり取出したりする作業が容易となる。
【００４０】
図８は、保持パーツとしてのフックパーツ８０を示している。フックパーツ８０は、円環板状の環状部８１と、環状部８１の内側に連なる支持板部８２と、支持板部から垂下する軸部８３と、軸部８３の下端部から外側に延びる一対のフック部８４とを有する。
【００４１】
図９に示すように、フックパーツ８０は、環状部８１をフレームラック１の一対の支持板部１４、２４の上に架け渡すように載せることで、前後一対の横フレーム１２、２２の間にフック部８４を配置することができる。なお、フックパーツ８０は、連結部３１が設けられていない範囲で、フレームラック１の左右方向の何れの位置に配置してもよく、また、横フレーム１２、２２の延在方向に沿ってスライドさせることも可能である。各フック部８４には、フライパン等の調理道具Ａを引っ掛けて吊下げ保持することができる。
【００４２】
本例では、環状部８１が円環状となっており、フレームラック１に対してフック部８４の向きが所望の向きとなるように、フックパーツ８０の角度を用途に応じて変更することができる。その結果、例えばフック部８４を前後方向に向けたり、左右方向に向けたりすることができ、調理道具Ａ等を引っ掛け易くすることができる。なお、環状部８１の形状は円環状に限られず、例えば、四角形の枠状としてもよい。
【００４３】
また、本例では、支持板部８２及びフック部８４が環状部８１の中心からずれた位置に配置されている。これにより、図９に実線及び二点鎖線で示すように、フック部８４を、用途に応じてフレームラック１の前方側及び後方側の何れか一方側に寄せて配置することができ、利便性をさらに高めることができる。
【００４４】
なお、フックパーツ８０の上方に上記プレートパーツ６０を配置してもよい。また、その場合、環状部８１の直径（外径）が、図４に示す脚部６２の間隔Ｄよりも小さいことが好ましく、これによれば、プレートパーツ６０が一対の支持板部１４、２４上で安定し易く、また、フックパーツ８０のスライド移動及び角度の変更が容易となる。
【００４５】
図１０は、保持パーツとしての本・タブレットラックパーツ９０を示している。本・タブレットラックパーツ９０は、横フレーム１２、２２に取り付けるための一対の係合部９１と、一対の係合部９１の間に設けられた平坦部９２と、平坦部９２の下端から前方に延びる底板部９３と、底板部９３の前端部から上方に延びる脱落防止部９４とを有する。
【００４６】
本・タブレットラックパーツ９０は、一対の係合部９１を何れかの横フレーム１２、２２に対して外向きに取り付けることにより、例えば料理のレシピ等が書かれた本またはタブレット等を平坦部９２と底板部９３に立て掛けて置くことができる。
【００４７】
また、図示は省略するが、フレームラック１には、例えば、ワイングラスを吊下げ保持可能なワイングラスホルダー、上部の開口部から物品を取り出し可能な箱型のラック、板状の水跳ね防止及び目隠し機能を有するプレートパーツ、または、キッチンペーパーホルダー等を取り付けることができる。これらの保持パーツは、第１フレーム部１０と第２フレーム部２０の間に架け渡すように配置してもよいし、何れかのフレーム部１０、２０が単独で支持するようにして外向き又は内向きに取り付けてもよい。
【００４８】
本実施形態のフレームラック１は、前後方向に対向配置された一対のフレーム部１０、２０を備え、各フレーム部１０がそれぞれ一対の縦フレーム１１、１１、２１、２１と横フレーム１２、２２とを有している。これによれば、各フレーム部１０、２０の横フレーム１２、２２に対してそれぞれフックパーツ５０等の保持パーツを吊下げられることに加えて、前後の横フレーム１２、２２間に架け渡すように他の保持パーツを取り付けることができるので、優れた保持能力（収納力）を発揮することができる。また、保持パーツを取り付ける位置を選択できるので、各保持パーツに吊下げたり収納したりする物品の用途に応じて、使い易い位置に保持パーツを取り付けることができる。具体的には、例えば、フレームラック１の前方側からレシピの本を見るために、本・タブレットラックパーツ９０を前方側の横フレーム１２に取り付けたり、フレームラック１の後方側のダイニングスペースで使用するマグカップを吊下げるために、フックパーツ５０を後方側の横フレーム２２に取り付けたりすることができる。また、本実施形態のフレームラック１は、一対のフレーム部１０、２０を前後に対向配置した簡易な構造であるため、製造や設置にかかるコストも抑えることができる。
【００４９】
また、本実施形態のフレームラック１においては、縦フレーム１１、２１及び横フレーム１２、２２を、基本的に金属製の板材のみで形成しているため、特に、組立てや加工が容易であり、材料費も抑えることができる。
【００５０】
また、本実施形態のフレームラック１においては、フレームラック１の左右方向における同一箇所に、複数種類の保持パーツを取り付けることができるので、保持能力を格段に高めることができる。具体的には、例えば、一方の横フレーム１２にフックパーツ５０を取り付けるとともに他方の横フレーム２２には別のフックパーツ５０を取り付け、また、対向する支持板部１４、２４間に吊下ラックパーツ７０を架け渡して配置し、さらに、吊下ラックパーツ７０の上方にプレートパーツ６０を配置することができる。
【００５１】
また、本実施形態では、図２に示すフレームラック１の全体としての奥行Ｄ３（最大奥行）が、７０ｍｍ以上、１５０ｍｍ以下であることが好ましく、これによれば、フレームラック１の保持能力を高めつつ、カウンタ部２等の天板上での作業を阻害しないようにすることができる。
【００５２】
また、本実施形態では、各支持板部１４、２４の奥行Ｄ４が、１０ｍｍ以上、３５ｍｍ以下であることが好ましく、これによれば、保持パーツを安定した状態で支持板部１４、２４に載せることができ、照明装置Ｌ等も支持板部１４、２４の下面側に取り付け易くなる。なお、支持板部１４と支持板部２４の奥行Ｄ４は相互に同一でなくてもよい。
【００５３】
また、本実施形態では、各支持板部１４、２４の間隔Ｄ５が、４０ｍｍ以上、８０ｍｍ以下であることが好ましく、これによれば、支持板部１４、２４間に配置される吊下ラックパーツ７０等の収納量を十分に確保することができるとともに、フレームラック１の全体の奥行Ｄ３が大きくなり過ぎることを防止することができる。
【００５４】
ここで、図１１、１２は、変形例としてのフレームラック１００、２００をそれぞれ示している。なお、上述した実施形態と基本的な機能が同一である部分は、図中、同一の符号を付して説明を省略する。
【００５５】
図１１に示すフレームラック１００において、各横フレーム１２、２２は、各支持板部１４、２４の先端部から垂下し、フレーム本体部１３、２３に対向するカバー部１６、２６を有する構成としている。このようなカバー部１６、２６を設けることにより、例えば、支持板部１４、２４の下面に照明装置Ｌ等を取付けた場合に、当該照明装置Ｌ等をカバー部１６、２６で保護することができる。また、カバー部１６、２６を設けることで、横フレーム１２、２２の強度を高めることができ、変形を抑制することができる。また、横フレーム１２、２２の強度が高くなるため、フレームラック１及び各種保持パーツの安定性も高めることもできる。
【００５６】
また、図１２に側面図で示すフレームラック２００のように、前後に対向する縦フレーム１１、２１の間隔が下方に向けて大きくなるように構成してもよい。このような構成とすることで、フレームラック２００の安定性を高めることができる。また、前後に対向する横フレーム１２、２２の間隔が上方に向けて大きくなるようにしてもよい。すなわち、縦フレーム１１、２１及び横フレーム１２、２２はそれぞれ、鉛直方向に対して傾いていてもよい。なお、図１２に示すフレームラック２００は、上記のフレームラック１における連結部３１及びベース板部３２を有しておらず、第１フレーム部１０と第２フレーム部２０とが独立した構成となっているが、これに限られず、連結部３１及びベース板部３２の何れか、または両方を設けてもよい。
【００５７】
以上、図示例に基づき説明したが、本発明は上述の実施形態に限定されるものでなく、特許請求の範囲の記載範囲内で適宜変更することができるものであり、例えば、横フレーム１２、２２は、全体が水平方向に一直線状に延びている形態に限らず、少なくとも部分的に傾斜していたり、屈曲していたり、湾曲していたりしてもよい。
【００５８】
また、縦フレーム１１、２１も全体が鉛直方向に一直線状に延びている形態に限らず、少なくとも部分的に傾斜していたり、屈曲していたり、湾曲していたりしてもよい。また、縦フレーム１１、２１及び横フレーム１２、２２の幅及び厚さも適宜変更可能であり、部分的に幅及び厚さが異なっていてもよい。
【符号の説明】
【００５９】
１、１００、２００：フレームラック
２：カウンタ部
３：シンク
４：調理台
５：コンロ
１０：第１フレーム部（フレーム部）
１１：縦フレーム
１２：横フレーム
１３：フレーム本体部
１４：支持板部
１５：鉛直板部
２０：第２フレーム部（フレーム部）
２１：縦フレーム
２２：横フレーム
２３：フレーム本体部
２４：支持板部
２５：鉛直板部
３１：連結部
３２：ベース板部
４０：柱部
４１：コンセント接続部
５０：フックパーツ
５１：ベース部
５１ａ：上側係合部
５１ｂ：下側係合部
５２：フック部
６０、６５：プレートパーツ
６１：載置板部
６２：脚部
６３：開口
７０：吊下ラックパーツ
７１：載置板部
７２：柱部
７３：フランジ部
７４：柵部
７５：開口
８０：フックパーツ
８１：環状部
８２：支持板部
８３：軸部
８４：フック部
９０：本・タブレットラックパーツ
９１：係合部
９２：平坦部
９３：底板部
９４：脱落防止部
Ａ：調理道具
Ａ１：孔
【図１】
2020081749.tif 000003
【図２】
2020081749.tif 000004
【図３】
2020081749.tif 000005
【図４】
2020081749.tif 000006
【図５】
2020081749.tif 000007
【図６】
2020081749.tif 000008
【図７】
2020081749.tif 000009
【図８】
2020081749.tif 000010
【図９】
2020081749.tif 000011
【図１０】
2020081749.tif 000012
【図１１】
2020081749.tif 000013
【図１２】
2020081749.tif 000014